(57)【要約】 【課題】  長期間カビの発育を抑制できしかも消費電力も少なくて済むカビ発生防止システムを提供する。【解決手段】  除湿運転ではゆっくり回転する吸着材ロータ１７に空気中の水分が吸着されて除湿され、除湿された空気は循環用風路２１を介して浴室内に戻される。ただし、４時間以上除湿運転を行っても相対湿度が５１％にならない場合には、運転を終了する。そして、４時間以内に相対湿度が５１％になったならば、除湿運転を停止（除湿手段オフ）し、相対湿度が６０％以上となったならば再び除湿運転を開始する。ただし、４時間以上除湿運転を停止しても相対湿度が６０％以上にならない場合には、運転を終了する。このように、タイマー、カウンターを湿度センサと併用することで、季節によらず低消費電力でカビを防止する運転が可能となる。【選択図】        図４
2007113336.tif 000002
【特許請求の範囲】
【請求項１】
床パネルと浴室乾燥装置とを備えたカビ発生防止システムであって、
前記床パネルは、
その表面に滑り止め用の凸部と、
これら凸部の間に流れ込んだ水を途切れさせずに一時補水出来る状態にする流路が形成されており、
前記床パネルの凸部の上面で形成された水玉が前記流路内に一時補水されている水と接触することで前記流路内に引き込まれるようになっており、
前記浴室乾燥装置は、
浴室内の空気を除湿する除湿手段と、
浴室内の湿度を検出する湿度検出手段と、
制御手段と、を備え、
前記制御手段は、前記湿度検出手段によって検出した相対湿度が５１％以上６０％未満の間のいずれかで前記除湿手段の運転を停止し、相対湿度が６０％以上の場合に前記除湿手段の運転を実行する断続運転を２４時間未満行うように制御することを特徴とする
カビ発生防止システム。
【請求項２】
請求項１に記載のカビ発生防止システムにおいて、
さらに浴室内の空気を外部に排出する換気手段とを備え、
前記乾燥装置は、
主電源がオンとされた後に浴室内の空気を外部に排出する換気運転を所定時間行い、
この後、浴室内の空気を除湿する除湿手段の運転を開始することを特徴とする
カビ発生防止システム。 
【発明の詳細な説明】
【技術分野】
【０００１】
本発明は、浴室内でのカビの発生を効率よく抑制することを可能としたカビ発生防止システムに関する。
【背景技術】
【０００２】
浴室はもともと相対湿度が高い空間であり、洗濯した衣類などを乾燥させる空間としても利用されている。そこで、浴室の相対湿度を低下せしめる提案が特許文献１や特許文献２になされている。
【０００３】
特許文献１には、ファンと換気風路からなる換気手段と、ファンと吸着材と除湿風路からなる空気除湿手段を備えた浴室乾燥機が開示され、この浴室乾燥機を用いた乾燥方法として、浴室内が多湿の場合には換気手段を運転して浴室内の空気を入れ替え、浴室内が低湿となった後に空気除湿手段を運転して浴室内を乾燥せしめる提案がなされている。
【０００４】
特許文献２には、１日１回カビに対して低湿度ショックを与えることで、カビの成長を抑制する提案がなされている。
特にこの特許文献２には、相対湿度が６０〜８０％の時にカビが繁殖すること、また通常の浴室では相対湿度が５１％以上の場合には、１日中連続して除湿運転を行なわなければならないことが相対湿度と維持時間との関係を示した図３に記載されている。
【０００５】
また、浴室の湿度が高くなる原因の１つは、床面に残った水分であり、この水分を自動的に除去する構造の床面が特許文献３に開示されている。
【０００６】
【特許文献１】特開平１１−４９９８号公報
【特許文献２】特開２００１−２３５２１４号公報
【特許文献３】特許第３５０８７６１号公報
【発明の開示】
【発明が解決しようとする課題】
【０００７】
上記の特許文献２にも記載されるように、浴室内の相対湿度が５１％以上の場合に、カビの成長を抑制するには、１日中連続して除湿運連を行わなければならず、エネルギーの消費量が大きい。
【課題を解決するための手段】
【０００８】
本発明者らは、効率良く浴室内でのカビの発生を抑制するには、浴室の天井部に設けた乾燥装置のみを運転してもそれほど有効ではなく、水分の供給源となる床面の性状をも考慮しなければならないとの結論に達した。つまり、浴室乾燥機のみで浴室内の床面に残留した水滴を蒸発させようとすると多大な時間の運転が必要となり、多大なエネルギーがかかり非効率的であった。場合によっては、除湿運転終了後にも浴室内の床面に残水が残る場合があり、除湿運転を行ってもカビが発生してしまっていた。
【０００９】
そこで、所定時間経過後に水滴が残らない特性を有する床面として前記特許文献３に記載の床面に着目し、この床面を用いることを前提として乾燥装置の好適な運転条件を割り出した。つまり、浴室乾燥機のみで浴室内の床面に残留した水滴を蒸発させようとすると多大な時間の運転が必要となり、多大なエネルギーがかかり非効率的であった。
【００１０】
即ち本発明は、床パネルと浴室乾燥装置とを備えたカビ発生防止システムであって、前記床パネルは、その表面に滑り止め用の凸部と、これら凸部の間に流れ込んだ水を途切れさせずに一時補水出来る状態にする流路が形成されており、前記床パネルの凸部の上面で形成された水玉が前記流路内に一時補水されている水と接触することで前記流路内に引き込まれるようになっており、前記浴室乾燥装置は、浴室内の空気を除湿する除湿手段と、浴室内の相対湿度を検出する湿度検出手段と、制御手段と、を備え、前記制御手段は、前記湿度検出手段によって検出した相対湿度が５１％以上６０％未満の間のいずれかで前記除湿手段の運転を停止し、相対湿度が６０％以上の場合に前記除湿手段の運転を実行する断続運転を２４時間未満行うように制御するようにした。
【００１１】
前記浴室内の空気を除湿する除湿運転の開始は、浴室内の空気を外部に排出する換気運転を所定時間行った後に行うことが好ましい。乾燥装置の主電源をオンにした時点では、浴室内の湿度は通常かなり高いので、除湿運転を行ってエネルギーを消費するよりも換気運転を行って高湿度の空気を外部に排出した方が有利である。
【発明の効果】
【００１２】
本発明によれば、最小限のエネルギー消費で浴室内にカビが繁殖することを抑制できる。
特に、従来にあっては相対湿度が５１％以上の場合には、１日中除湿運連を行わなければならなかったが、最適な床面と組み合わせて制御することで、大幅に使用エネルギーを削減することができる。
【発明を実施するための最良の形態】
【００１３】
以下に本発明の実施例を添付図面に基づいて説明する。図１は本発明に係るカビ発生防止システムを適用した浴室の斜視図、図２は同カビ発生防止システムに組み込む乾燥装置の断面図である。
【００１４】
樹脂製の浴室１にはバスタブ２及び洗い場となる床パネル３が設けられている。床パネル３の表面には一部を引き出して示した拡大図に示すように、滑り止め用の凸部４が形成され、これら凸部４の間に流れ込んだ水を途切れさせずに一時捕水できる状態にする流路５が排水口６あるいは排水流し溝まで連続して形成されている。その結果、床パネル３の表面で水玉を形成した残水は、前記流路５内に一時捕水されている水と接触することで前記流路５から排水口６あるいは排水流し溝に途切れること無く排水される。
【００１５】
ここで、床面乾燥のメカニズムを述べると、凸部４は表面張力を破壊して水が蒸発する表面積を大きくするだけでなく、流路５内に流れ込んで流れようとする水に対して抵抗になるため、流路内の流速が抑制され、流路５を流れる水が途切れることがない。即ち、流路５内の排水は、ゆっくりではあるが排水口６若しくは流し溝まで連続して繋がった状態で確実に排水され、その結果、水が島状に残ることがない。
【００１６】
仮に、流路５を水が流れた後に、凸部４間に水が残る場合であっても、この場合の残水量は極めて少ないため、短時間のうちに蒸発してしまい、実使用上問題とならない。
【００１７】
また、入浴行為などにより新たな水が床パネル３表面に流され、その水が表面張力によって、いったん床パネル３の表面に水玉を形成した場合でも、これらの水玉が床パネル３上の流路５内にすでに存在している一時捕水状態の水に接触しているため、この流路５内の水の誘引・導水作用と凸部４の表面張力破壊作用の相乗効果によって、水玉内の水が徐々に流路５内に流れ込み、ゆっくりと、しかし途切れること無く、排水口６あるいは排水流し溝に導かれて確実に排水される。その結果、床パネル３上の水玉は消滅してしまい、床パネル３上に残留することがない。
【００１８】
この流路５内に一時捕水された水による誘引・導水作用は、水の表面張力を利用したものである。水は表面張力によって、その表面積を最も小さくするべく、球状になろうとし、その結果、疎水性の物質上では水玉となって安定する。しかし、各々の表面張力で別々に安定して存在している複数の水玉が接触した場合、これらが個別に水玉を形成し続けるよりも、１つにまとまった大きな水玉を形成した方がトータルの表面積が小さくて済み、より安定するため、接触した時点でこれらの水に１つにまとまろうとする力が発生する。この力は、各々の水が持つ表面張力によるものであるが、これによって他に外的な力が働いていない停滞状態の水玉でも、その他の水玉や水分と接触した瞬間に水自身が持つ表面張力によって動こうとする動力を得ることができるのである。流路５内に一時捕水した水と、新たに床パネル３表面で水玉を形成した残水とを接触させることで、これら２つの水の表面張力によって発生する力を流路５内への誘引・導水力として利用し、単独で残留する水玉を削減することで床パネル３表面の乾燥時間を短縮しているのである。
【００１９】
また、流路５内に流れ込み、一時捕水された水は、完全に停滞しているわけではなく、速度を抑制された状態でゆっくりと流れているため、水玉の消滅後も時間の経過とともに床パネル３上の流路５内に一時捕水されたトータル水量を着実に削減でき、床パネル３を早期に乾燥させることができる。しばらくして、流路５を水が流れてしまった後に、凸部４間に水が残る場合であっても、この場合の残水量は極めて少ないため、短時間の内に蒸発してしまい、実使用上なんら問題とならない。
【００２０】
また、流路５内の一時捕水状態は、床パネル３表面上に発生した水玉が流路５内におおむね誘引・導水されるまでの間、保持されれば良く、水玉消滅前に床パネル３上のどこか一部で部分的に流路５内の連続状態が途切れたとしても、実際に水玉に触れている流路５と床パネル３の水下部分とが、いずれかの経路の捕水状態の流路５で繋がっているのであれば、水玉の水はその経路を伝わって流れ、排水されてしまう。また、万が一、水玉消滅直後に流路５内の繋がった捕水状態が途切れてしまい流路５内のみに水が残留してしまった場合でも、残された水は床パネル３上の広範囲に拡散されて存在するため、独立して残る水玉状態の残水より自然乾燥しやすい。
【００２１】
一方、浴室１の天井部には乾燥装置１０が取り付けられている。乾燥装置１０は隔壁１１によって換気兼循環用風路１３と換気兼再生用風路１４に区画され、それぞれの風路１３，１４にファン１５，１６を配置している。また、風路１３，１４は下方に開口する吸気口１３ａ，１４ａを備え、吸気口１３ａから換気兼循環用風路に流入した空気は後述する循環用風路２１の下方に開口する吹出口２１ａから浴室内に戻される。
【００２２】
換気兼循環用風路１３及び換気兼再生用風路１４の上流部にはそれぞれの風路に掛かるように吸着材からなるロータ１７を配置している。この吸着材ロータ１７はゼオライトやシリカゲルを円盤状に成形してなり、且つ吸着表面積を大きくするためハニカム構造などの多孔体となっている。この吸着材ロータ１７はモータによってゆっくりと回転することで換気兼循環用風路１３と換気兼再生用風路１４の間を循環する。ここで、吸着材ロータを回転させる回転軸は吸着材の中心に配置されている。また、換気兼再生用風路１４内の吸着材ロータ１７の上流側には再生用のヒータ１８を配置している。ゼオライトやシリカゲルは円盤状に成型しても良いし、円盤状に成型したセラミックペーパーなどの基材に担持させても良い。
【００２３】
一方、吸気口１３ａ、１４ａ及び吹出口２１ａから水平方向に離れた箇所には湿度センサ２６を取り付けている。この湿度センサ２６は、循環ファン１６からの影響を大きくは受けず、吸着材ロータ１７に取り付けられた吸着剤を通過した空気があたる環境でなく、空気の流れが穏やかな位置であればよい。つまり床面近傍は浴室乾燥装置とは離れた距離にあるため、床面近傍の環境と同じ条件で湿度を検出するためには空気の流れが穏やかな位置に配置されている必要がある。
【００２４】
ここで、水平方向に離れたとは、必ずしも吸気口、吹出し口と同じ高さになくても良く、高さ方向にずれた位置であってもよい。また、図示例にあっては、浴室１の天井部に乾燥装置１０を取り付けたため、湿度センサ２６は吸気口１３ａ、１４ａ及び吹出口２１ａから水平方向に離れた箇所に設けられているが、乾燥装置１０が壁面部に取り付けられる場合には吸気口１３ａ、１４ａと吹出口２１ａは側方に開口することになり、この場合には湿度センサ２６は、吸気口１３ａ、１４ａ及び吹出口２１ａから鉛直方向に離れた箇所に設けられることになる。
【００２５】
吸着材の再生は、吸着材ロータ１７に吸着された水分をヒータ１８にて加熱されることで蒸発し、ファン１６を駆動することで換気兼再生用風路１４を介して水分は外部に排出される。
【００２６】
更に、前記換気兼循環用風路１３内で前記ファン１５よりも下流側には流路切替ダンパ１９を設け、この流路切替ダンパ１９により換気用風路２０と循環用風路２１に分け、循環用風路２１には浴室加熱用ヒータ２２を配置している。
【００２７】
尚、前記湿度センサ２６は結露すると測定値が大幅に狂うため、通常センサボックス内にヒータを配置している。ここで、湿度センサは吸気口および吹出し口から水平方向または垂直方向に離れた空気の流れが穏やかな位置に配置されているため、風によってヒータの熱が冷めることなく確実に結露を防止することができる。また、センサボックスは、外部の湿度を検知するため開口がある。開口は、開放された状態でも良いし、透湿性の膜が張られていても良い。また、ボックス自体を透湿性の膜で形成しても良い。膜により、センサボックス内の熱が外部へ拡散しにくくなり、ヒータの省エネになる。
【００２８】
図３は乾燥装置の別実施例を示す断面図であり、この実施例では吸着材ロータ１７の代わりに、換気兼循環用風路１３内のファン１５の上流側に圧縮機２３と、この圧縮機２３にて圧縮された冷媒が流れる冷却器２４と、冷媒を圧縮する際に発生する熱を逃す放熱器２５を配置している。
【００２９】
次に、本発明に係るカビ発生防止システムの運転例を図４に基づいて説明する。先ず、換気用風路１９が開となるようにダンパ１８を切り替えた状態で主電源をオンにする。すると、換気手段（ファン１４）が駆動し、浴室内の湿った空気が外部に排出される。この換気運転は例えば３０分継続する。換気運転はタイマーで３０分間継続しても良いし、湿度センサの検知湿度が所定の値に達するまででも良いし、相対湿度の時間変化率が所定の値に達するまででも良い。また、換気手段はファン１６のみを駆動させても良いし、ファン１５と１６を同時に駆動させても良い。
【００３０】
上記の換気運転が終了したならば、ダンパ１９を切り替えて換気用風路２０を閉、循環用風路２１を開とする。またこれと同時に、ファン１６を駆動し再生用ヒータ１８をオンにし更に吸着材ロータ１７をゆっくり回転せしめて、除湿運転と再生運転を行う。
【００３１】
除湿運転ではゆっくり回転する吸着材ロータ１７に空気中の水分が吸着されて除湿され、除湿された空気は循環用風路２１を介して浴室内に戻される。ただし、４時間以上除湿運転を行っても相対湿度が５１％にならない場合には、運転を終了する。運転の終了は総消費電力が所定の値に達したときでも良い。このように、タイマー、カウンターを湿度センサと併用することで、季節によらず低消費電力でカビを防止する運転が可能となる。また、湿度センサが故障等で正常な値を示さなくても運転を停止することが可能となる。
【００３２】
そして、４時間以内に相対湿度が５１％になったならば、除湿運転を停止（除湿手段オフ）し、相対湿度が６０％以上となったならば再び除湿運転を開始する。ただし、４時間以上除湿運転を停止しても相対湿度が６０％以上にならない場合には、運転を終了する。運転の停止は総消費電力が所定の値に達したときでも良い。このように、タイマー、カウンターを湿度センサと併用することで、季節によらず低消費電力でカビを防止する運転が可能となる。また、湿度センサが故障等で正常な値を示さなくても運転を停止することが可能となる。
【００３３】
上記の運転における経過時間と相対湿度との関係を示したのが図５のグラフである。このグラフから明らかなように、除湿運転中は相対湿度は略６０％以下であった。
図５において、除湿運転を相対湿度５１％で停止したにも拘らず、相対湿度が５０％以下まで低下しているのは、除湿運転を停止しても、実際には最も消費電力を喰うヒータの運転を停止しただけであって、それ程電力を消費しないファンの運転は継続しているからである。つまり、ヒータを停止すると吸着材の再生はほとんど行なわれないが、ファンによって吸着材に浴室内の空気は通過する。このため、ヒータを停止しても除湿は吸着材が飽和状態になるまで継続され、その結果、相対湿度は５０％以下まで低下する。
本発明の除湿運転には、ヒータをオフとしファンをオンにした状況は含まないものとする。
【００３４】
次に、従来、相対湿度５０％以上の場合には２４時間以上運転しなければ、カビの発生は防止できないものと考えられていたが、床面が所定時間で乾くような床を採用したため、浴室乾燥機の運転を相対湿度５１％になったらＯＦＦ、６０％以上になったらＯＮの運転を２４時間以内行なった場合であってもカビが発生しなかったことを立証するための実験を行った。
【００３５】
図６（ａ）〜（ｃ）は運転条件を変えて運転したときのカビ発生の状態を比較した写真であり、運転条件は以下の通りである。
運転条件Ａ：換気運転(９０ｍ３／ｈ)を１２時間
運転条件Ｂ：乾燥運転（循環風量１２８ｍ３／ｈ、換気風量９５ｍ３／ｈ、
約１２００Ｗのヒータで加熱）を２４００Ｗｈになるまで継続
(約２時間)
運転条件Ｃ：カビ防止運転（換気１６０ｍ３／ｈを３０分行った後、換気運転を停止し、除湿運転を行う）
除湿運転は乾燥装置内に設置された湿度センサの検出値の相対湿度５１％でオフし、６０％でオンする）を１２００Ｗｈ(約４時間)行う。
【００３６】
また運転条件Ａ〜Ｃでの共通条件は、以下の通りである。
外気条件：２５℃  ８０％ＲＨ(梅雨時期)
使用ユニットバス：１坪サイズ
散水条件：（1）浴槽にお湯はりする。
（４２℃  １０Ｌ／minにて２０分間  ２００Ｌ）
（2）シャワー散水する。
（４２℃  １０Ｌ／min  ５分散水の後５分停止を６サイクル）
（3）浴槽水を排水する。
（4）乾燥機を運転する。
【００３７】
図６（ａ）〜（ｃ）のそれぞれにおいて、上部の写真は好湿性カビ（Alternaria）、下部の写真は好乾性カビ（Eurotium）であり、条件Ａの場合には好湿性カビ及び好乾性カビのいずれもが菌糸を成長させていることが分かる。また、条件Ｂの場合は好湿性カビの発育は抑制できているが好乾性カビの菌糸が成長していることが分かる。更に条件Ｃの場合は好湿性カビ及び好乾性カビのいずれも発育が抑制されていることが分かる。
【００３８】
したがって、本発明に係るカビ発生防止装置によれば、省エネルギーを達成しつつ、２４時間未満の運転によって長期間好湿性カビ及び好乾性カビのいずれの発育も抑制することができる。
【図面の簡単な説明】
【００３９】
【図１】本発明に係るカビ発生防止システムを適用した浴室の斜視図
【図２】同カビ発生防止システムに組み込む乾燥装置の断面図
【図３】乾燥装置の別実施例を示す断面図
【図４】本発明に係るカビ発生防止システムの運転例のブロック図
【図５】図４に示した運転例の場合の相対湿度の変化を示すグラフ
【図６ａ】運転条件を変えて運転したときのカビ発生の状態を比較した写真
【図６ｂ】運転条件を変えて運転したときのカビ発生の状態を比較した写真
【図６ｃ】運転条件を変えて運転したときのカビ発生の状態を比較した写真
【符号の説明】
【００４０】
１…浴室、２…バスタブ、３…床パネル、４…滑り止め用の凸部、５…流路、６…排水口、１０…乾燥装置、１１…隔壁、１３…換気兼循環用風路、１４…換気兼再生用風路、１３ａ、１４ａ…吸気口、１５、１６…ファン、１７…吸着材ロータ、１８…再生用ヒータ、１９…流路切替ダンパ、２０…換気用風路、１４ａ…吹出口、２１…循環用風路、２２…浴室加熱用ヒータ、２３…圧縮機、２４…冷却器、２５…放熱器、２６…湿度センサ。
【図１】
2007113336.tif 000003
【図２】
2007113336.tif 000004
【図３】
2007113336.tif 000005
【図４】
2007113336.tif 000006
【図５】
2007113336.tif 000007
【図６ａ】
2007113336.tif 000008
【図６ｂ】
2007113336.tif 000009
【図６ｃ】
2007113336.tif 000010
【手続補正書】
【提出日】平成18年3月7日(2006.3.7)
【手続補正１】
【補正対象書類名】特許請求の範囲
【補正対象項目名】全文
【補正方法】変更
【補正の内容】
【特許請求の範囲】
【請求項１】
床パネルと浴室乾燥装置とを備えたカビ発生防止システムであって、
前記床パネルは、
その表面に滑り止め用の凸部と、
これら凸部の間に流れ込んだ水を途切れさせずに一時捕水出来る状態にする流路が形成されており、
前記床パネルの凸部の上面で形成された水玉が前記流路内に一時捕水されている水と接触することで前記流路内に引き込まれるようになっており、
前記浴室乾燥装置は、
浴室内の空気を吸気し、除湿された空気を浴室内に戻す循環用風路と、
除湿によって生じた水分を外部に排出する再生用風路と、
前記循環用風路と前記再生用風路に配置されたファンと、
前記循環用風路と前記再生用風路のそれぞれに掛かるように配置された回転する除湿手段と、
前記再生用風路の前記除湿手段の上流側に配置された再生用ヒータと、
浴室内の湿度を検出する湿度検出手段と、
制御手段と、
を備え、
前記制御手段は、前記ファンと前記再生用ヒータを起動すると共に、前記除湿手段を回転させて除湿運転と再生運転を行った後、前記湿度検出手段によって検出した相対湿度が５１％以上６０％未満の間のいずれかになったら前記再生用ヒータの運転を停止し、且つ前記ファンの運転は継続すると共に、相対湿度が６０％以上になったら前記再生用ヒータの運転を再び実行する断続運転を行うように制御することを特徴とする
カビ発生防止システム。
【請求項２】
請求項１に記載のカビ発生防止システムにおいて、
さらに浴室内の空気を外部に排出する換気手段とを備え、
前記乾燥装置は、
主電源がオンとされた後に浴室内の空気を外部に排出する換気運転を所定時間行い、
この後、浴室内の空気を除湿する除湿手段の運転を開始することを特徴とする
カビ発生防止システム。
【手続補正２】
【補正対象書類名】明細書
【補正対象項目名】００１０
【補正方法】変更
【補正の内容】
【００１０】
即ち本発明は、床パネルと浴室乾燥装置とを備えたカビ発生防止システムであって、前記床パネルは、その表面に滑り止め用の凸部と、これら凸部の間に流れ込んだ水を途切れさせずに一時捕水出来る状態にする流路が形成されており、前記床パネルの凸部の上面で形成された水玉が前記流路内に一時捕水されている水と接触することで前記流路内に引き込まれるようになっており、前記浴室乾燥装置は、浴室内の空気を吸気し、除湿された空気を浴室内に戻す循環用風路と、
除湿によって生じた水分を外部に排出する再生用風路と、前記循環用風路と前記再生用風路に配置されたファンと、前記循環用風路と前記再生用風路のそれぞれに掛かるように配置された回転する除湿手段と、前記再生用風路の前記除湿手段の上流側に配置された再生用ヒータと、浴室内の湿度を検出する湿度検出手段と、
制御手段と、を備え、前記制御手段は、前記ファンと前記再生用ヒータを起動すると共に、前記除湿手段を回転させて除湿運転と再生運転を行った後、前記湿度検出手段によって検出した相対湿度が５１％以上６０％未満の間のいずれかになったら前記再生用ヒータの運転を停止し、且つ前記ファンの運転は継続すると共に、相対湿度が６０％以上になったら前記再生用ヒータの運転を再び実行する断続運転を行うように制御するようにした。